(57)【要約】【課題】同じ紙幣収納庫内に種別が異なる紙幣が混在する場合に、特定の種別の紙幣を容易に仕分けることができる紙幣取扱装置を提供する。【解決手段】紙幣を一時的に保管する一時保管庫１３の紙幣取込口Ｅの近傍に、モータにより回転する紙幣シフトローラ５０４を設ける。偽券の疑いがある紙幣、汚損や損傷が激しい紙幣、取り忘れ紙幣などのような特定種別の紙幣については、紙幣シフトローラ５０４を所定方向に回転させることにより、ローラの上に載っている当該紙幣を、右方向Ｒまたは左方向Ｌへ移動させる。一時保管庫１３内で位置がシフトした特定種別の紙幣は、そのままの状態を保ちながら、一時保管庫１３から他の紙幣収納庫へ移送され収納される。【選択図】図８
2012003519.tif 000002
【特許請求の範囲】
【請求項１】
紙幣を搬送する搬送手段と、
前記搬送手段により搬送された紙幣を収納する紙幣収納庫と、
前記紙幣の搬送方向に対して、当該紙幣を横方向に移動させる紙幣移動手段と、
を備え、
種別の異なる紙幣が混在して収納される紙幣収納庫に収納すべき紙幣のうち、特定の種別の紙幣を前記紙幣移動手段により移動させることを特徴とする紙幣取扱装置。
【請求項２】
請求項１に記載の紙幣取扱装置において、
前記特定の種別として、複数の種別が設定されており、
前記紙幣移動手段は、種別毎に予め設定された位置まで、前記紙幣を移動させることを特徴とする紙幣取扱装置。
【請求項３】
請求項１に記載の紙幣取扱装置において、
前記紙幣を鑑別する鑑別手段をさらに備え、
前記鑑別手段による前記紙幣の鑑別結果に基づいて、前記紙幣が特定の種別の紙幣であるか否かを決定することを特徴とする紙幣取扱装置。
【請求項４】
請求項３に記載の紙幣取扱装置において、
前記特定の種別の紙幣は、再利用不能な真券と鑑別された紙幣、汚損もしくは損傷が激しい真券と鑑別された紙幣、偽券と鑑別された紙幣、または、偽券であることが疑われると鑑別された紙幣であることを特徴とする紙幣取扱装置。
【請求項５】
請求項１に記載の紙幣取扱装置において、
前記搬送手段による紙幣の搬送パターンに基づいて、前記紙幣が特定の種別の紙幣であるか否かを決定することを特徴とする紙幣取扱装置。
【請求項６】
請求項５に記載の紙幣取扱装置において、
前記特定の種別の紙幣は、前記搬送手段の回収動作により回収される取り忘れ紙幣であることを特徴とする紙幣取扱装置。
【請求項７】
請求項１ないし請求項６のいずれかに記載の紙幣取扱装置において、
前記紙幣移動手段は、前記紙幣収納庫のうち、紙幣を一時的に保管する一時保管庫の紙幣取込口近傍に設置されていることを特徴とする紙幣取扱装置。
【発明の詳細な説明】
【技術分野】
【０００１】
本発明は、紙幣を取り扱う紙幣取扱装置に関するものである。
【背景技術】
【０００２】
従来、顧客の操作に基づいて現金出納のサービスを提供する機器として、例えば、現金自動預け払い機（Automatic Teller Machine）が知られている。この現金自動預け払い機には、利用者によって入出金される紙幣を取り扱う紙幣取扱装置が内蔵されている。以下においては、現金自動預け払い機を「ＡＴＭ」と記載する。
【０００３】
紙幣取扱装置は、紙幣を収納および／または放出する紙幣収納庫を有している。例えば、ＡＴＭに内蔵される紙幣取扱装置には、用途別に設けられた紙幣収納庫として、一時保管庫と、リサイクル庫と、回収庫とが備えられている。
【０００４】
上述の一時保管庫には、入出金処理中の紙幣が一時的に保管される。リサイクル庫には、入金処理時に再利用可能な真券と鑑別された入金紙幣が収納される。尚、このリサイクル庫に収納された入金紙幣は、出金処理時には出金紙幣として当該リサイクル庫から放出される。回収庫には、入金処理時に再利用不能な真券あるいは汚損・損傷が激しい真券と鑑別された紙幣や、同じく入金処理時に偽券と鑑別された紙幣または偽券であることが疑われると鑑別された紙幣、また、利用者が取り忘れた出金紙幣等が収納される。尚、上述の再利用不能な真券とは、例えば、市場から回収する必要がある旧紙幣等である。
【０００５】
ここで、各紙幣収納庫内の側壁間の幅は、紙幣取扱装置で取り扱い可能な紙幣の寸法に合わせてそれぞれ設計されている。
【０００６】
具体的には、上述の紙幣収納庫の内、一時保管庫や回収庫には、紙幣取扱装置に入金された全ての金種の紙幣が収納される。このため、各庫の側壁間の幅は、取扱対象紙幣の最大寸法に合わせて設計されている。
【０００７】
これに対し、リサイクル庫には、再利用可能な真券と鑑別された紙幣で、かつ、特定の一金種（例えば、壱千円）の紙幣が収納される。このため、紙幣取扱装置内には、取扱対象紙幣の金種の数と同じ数のリサイクル庫が備えられており、各リサイクル庫の側壁間の幅は、予め設定された一金種の紙幣の寸法に合わせて設計されている。
【０００８】
よって、例えば、大小様々な寸法の紙幣が流通する国で使用される紙幣取扱装置では、取扱対象紙幣の最大寸法に合わせて設計された一時保管庫の側壁間距離と、取扱対象紙幣の最小寸法に合わせて設計されたリサイクル庫の側壁間距離とに、大きな差が生じる場合がある。
【０００９】
この場合、一時保管庫から放出された紙幣が、紙幣を搬送する搬送路の中心から搬送方向に対して横方向（左右方向）に大きくずれた（偏位した）状態で搬送されると、搬送先のリサイクル庫の取込口に引っ掛かる等して、当該リサイクル庫内に正常に収納できない場合がある。
【００１０】
上述の問題を解決すべく、後掲の特許文献１には、一時保管庫等の紙幣収納庫内にある紙幣を任意の位置に移動させることができる偏位操作手段が設けられた紙幣取扱装置が開示されている。
【先行技術文献】
【特許文献】
【００１１】
【特許文献１】特開２００９−１６３７２１号公報
【発明の概要】
【発明が解決しようとする課題】
【００１２】
上記特許文献１に記載の紙幣取扱装置では、上述の偏位操作手段により、例えば、一時保管庫内に収納されている紙幣を左右方向に移動させることにより、紙幣の偏位を修正することができる。このため、一時保管庫から回収庫に搬送された紙幣も、ずれ（偏位）が無い状態で当該回収庫内に正常に収納される。
【００１３】
しかしながら、上述したように、回収庫には、再利用不能な真券、汚損や損傷が激しい真券、偽券または偽券の疑いのある券、取り忘れ券といった様々な種別の紙幣が収納されている。このため、例えば、金融機関の係員等が、回収庫内の紙幣を回収する場合に、当該回収庫内の紙幣がずれ無く収容されていると、種別毎の紙幣の仕分け作業が困難となる。例えば、回収庫内の紙幣から偽券の疑いのある券を抽出したり、取り忘れ券を抽出したりする際に、多くの手間と時間を要してしまう。
【００１４】
また、従来、紙幣のずれの有無に関わらず、偽券であることが疑われると鑑別された紙幣と、利用者が取り忘れた真券の出金紙幣が、同じ紙幣収納庫内に混在する場合、これらを目視で判断して仕分けることはきわめて困難であった。
【００１５】
本発明は、上述した問題点に鑑み、同じ紙幣収納庫内に種別が異なる紙幣が混在する場合に、特定の種別の紙幣を容易に仕分けることができる紙幣取扱装置を提供することを目的としている。
【課題を解決するための手段】
【００１６】
本発明に係る紙幣取扱装置は、紙幣を搬送する搬送手段と、この搬送手段により搬送された紙幣を収納する紙幣収納庫と、紙幣の搬送方向に対して、当該紙幣を横方向に移動させる紙幣移動手段とを備えており、種別の異なる紙幣が混在して収納される紙幣収納庫に収納すべき紙幣のうち、特定の種別の紙幣を紙幣移動手段により移動させる。
【００１７】
このようにすることで、同じ紙幣収納庫内に種別が異なる紙幣が混在する場合に、特定の種別の紙幣については、紙幣収納庫内での横方向の収納位置が他の紙幣とは異なるので、特定の種別の紙幣を容易に仕分けることができる。
【００１８】
本発明の紙幣取扱装置において、特定の種別として、複数の種別が設定されており、紙幣移動手段は、種別毎に予め設定された位置まで、紙幣を移動させるようにしてもよい。これによると、種別毎に紙幣収納庫内での横方向の収納位置が異なるので、複数の種別の紙幣を容易に仕分けることができる。
【００１９】
本発明の紙幣取扱装置において、紙幣が特定の種別の紙幣であるか否かの決定は、例えば、鑑別手段による紙幣の鑑別結果に基づいて行うことができる。
【００２０】
この場合、特定の種別の紙幣としては、例えば、再利用不能な真券と鑑別された紙幣、汚損もしくは損傷が激しい真券と鑑別された紙幣、偽券と鑑別された紙幣、または、偽券であることが疑われると鑑別された紙幣などが考えられる。
【００２１】
このようにすることで、目視で判断して仕分けることが困難な紙幣、例えば、偽券であることが疑われる紙幣であっても容易に仕分けることができる。
【００２２】
また、上記のような紙幣の鑑別結果によらずに、搬送手段による紙幣の搬送パターンに基づいて、紙幣が特定の種別の紙幣であるか否かを決定してもよい。
【００２３】
この場合、特定の種別の紙幣としては、例えば、搬送手段の回収動作により回収される取り忘れ紙幣などが考えられる。
【００２４】
本発明の紙幣取扱装置においては、紙幣移動手段は、紙幣収納庫のうち、紙幣を一時的に保管する一時保管庫の紙幣取込口近傍に設置されていることが好ましい。
【００２５】
このようにすることで、一時保管庫に紙幣を一時保管する段階で、あらかじめ紙幣の位置をずらしておくことができるため、紙幣を一時保管庫から他の紙幣収納庫へ、位置がずらされた状態のまま移送することができる。したがって、他の紙幣収納庫へ紙幣を収納する際に、当該収納庫において、紙幣の位置をずらすための処理を行う必要がないので、収納動作を迅速に行うことが可能となる。
【発明の効果】
【００２６】
本発明によれば、同じ紙幣収納庫内に種別が異なる紙幣が混在する場合でも、特定の種別の紙幣については、紙幣の搬送方向に対して横方向の収納位置が他の紙幣とは異なるので、特定の種別の紙幣を容易に仕分けることができる。
【図面の簡単な説明】
【００２７】
【図１】紙幣取扱装置を備えたＡＴＭの外観を示す斜視図である。
【図２】ＡＴＭのブロック図である。
【図３】紙幣取扱装置の内部構成を示す側面図である。
【図４】紙幣取扱装置の電気的構成を示すブロック図である。
【図５】一時保管庫の構造を示す側面図である。
【図６】一時保管庫の構造を示す上面図である。
【図７】紙幣シフトローラの斜視図である。
【図８】一時保管庫内の紙幣収納例を示す上面図である。
【図９】一時保管庫内の紙幣収納例を示す上面図である。
【図１０】一時保管庫内の紙幣収納例を示す上面図である。
【図１１】一時保管庫内の紙幣収納例を示す上面図である。
【図１２】一時保管庫内の紙幣収納例を示す上面図である。
【図１３】一時保管庫に紙幣を収納する場合の動作を示すフローチャートである。
【発明を実施するための形態】
【００２８】
以下、本発明の実施形態につき、図面を参照しながら説明する。尚、後述する図１〜図１２において、同一部分または対応する部分には、同一符号を付してある。
【００２９】
図１は、本発明の実施形態である紙幣取扱装置１００を備えたＡＴＭ３００の外観を示す斜視図である。
【００３０】
図１に示す通り、ＡＴＭ３００は、上述の紙幣取扱装置１００と、本体制御装置２０１と、硬貨取扱装置２０２と、カード処理装置２０３と、通帳処理装置２０４と、明細票発行装置２０５と、入力表示装置２０６とを備えている。尚、ＡＴＭ３００は、上述した主たる装置以外にも様々な装置を備えているが、それらの図示および説明は省略する。
【００３１】
図１において、紙幣取扱装置１００は、利用者の入金操作に基づいて、紙幣入出金口１１に投入（入金）された紙幣を収納し、また、利用者の出金操作に基づいて、紙幣入出金口１１から紙幣を放出（出金）する。
【００３２】
本体制御装置２０１は、ＡＴＭ３００全体の動作を制御する。硬貨取扱装置２０２は、利用者の入金操作に基づいて、硬貨入出金口２０２ａに投入（入金）された硬貨を収納し、また、利用者の出金操作に基づいて、硬貨入出金口２０２ａから硬貨を放出（出金）する。
【００３３】
カード処理装置２０３は、カード挿入口２０３ａに挿入された利用者のカードに対して、カード情報を読み取る等の所定のデータ処理を行う。通帳処理装置２０４は、通帳挿入口２０４ａに挿入された利用者の通帳に対して、取引内容を印字する等の所定の処理を行う。明細票発行装置２０５は、利用者がＡＴＭ３００で行った取引の明細票を作成し、発行口２０５ａから当該取引明細票を排出する。
【００３４】
入力表示装置２０６は、各種取引の選択操作を行うための入力画面等を表示部２０６ａに表示するとともに、利用者が表示部２０６ａにおいて入力した操作内容を受け付ける。
【００３５】
図２は、ＡＴＭ３００のブロック図である。図１に示した紙幣取扱装置１００と、硬貨取扱装置２０２と、カード処理装置２０３と、通帳処理装置２０４と、明細票発行装置２０５と、入力表示装置２０６は、バス２１０を介して本体制御装置２０１と接続されており、本体制御装置２０１の制御の下に必要な動作を行う。
【００３６】
本体制御装置２０１は、上記の他に、記憶装置２０７と、通信装置２０８と、電源装置２０９ともバス２１０で接続されており、必要なデータのやり取りなどを行うが、本発明の特徴には直接関係がないため、これらの詳細な説明は省略する。
【００３７】
図３は、紙幣取扱装置１００の内部構成を示す側面図である。紙幣取扱装置１００は、主に、紙幣入出金口１１、紙幣の鑑別を行う紙幣鑑別部１２、入出金処理中の紙幣を一時的に保管する一時保管庫１３、紙幣鑑別部１２で偽券と鑑別された紙幣を回収する回収庫１４、紙幣鑑別部１２で再利用不能な真券と鑑別された紙幣、汚損や損傷が激しい真券と鑑別された紙幣や、同じく、紙幣鑑別部１２で偽券であることが疑われると鑑別された紙幣、あるいは、利用者が紙幣入出金口１１から取り忘れた紙幣等を回収する回収庫１５、紙幣鑑別部１２で再利用可能な真券と鑑別された入金紙幣を収納し、出金処理時には収納した紙幣を出金紙幣として放出するリサイクル庫１６〜１８、および、上記の各部に紙幣を搬送する搬送路１９とを備えている。搬送路１９は、図示しない搬送ベルトや搬送ローラ等から構成されている。ＰＭは紙幣を表している。
【００３８】
尚、リサイクル庫１６〜１８は、紙幣取扱装置１００にて取扱可能な紙幣の金種毎に設けられたものである。このため、例えば、リサイクル庫１６には、金種が壱千円の紙幣が収納される。また、リサイクル庫１７には、金種が五千円の紙幣が収納される。さらに、リサイクル庫１８には、金種が壱萬円の紙幣が収納される。
【００３９】
２および３は、それぞれリサイクル庫１６〜１８に設けられた搬送ローラおよびシートローラ、５は紙幣ＰＭを立位状態に保持する押し板である。６は紙幣の通過を検知する通過センサ、７は紙幣の搬送方向を切り換えるゲート、８は紙幣入出金口１１内に投入された紙幣を収納するホッパ、９は主にリジェクトされた紙幣を利用者に返却するためのリジェクトスタッカ、１０は紙幣取扱装置１００の筐体である。なお、一時保管庫１３の詳細については後述する。
【００４０】
ここで、上述の一時保管庫１３、回収庫１４および１５、リサイクル庫１６〜１８は、本発明における紙幣収納庫の一実施形態である。搬送路１９は、本発明における搬送手段の一実施形態である。また、紙幣鑑別部１２および後述の制御部２０（図４）は、本発明における鑑別手段の一実施形態である。
【００４１】
次に、紙幣取扱装置１００の一般的な動作について説明する。入金取引時には、紙幣入出金口１１に投入された紙幣を一枚ずつに分離し、紙幣鑑別部１２で紙幣の金種、真偽等を鑑別し、一時保管庫１３に一旦収納する。この時、紙幣鑑別部１２で鑑別できなかった紙幣や、搬送中の傾きや搬送間隔が異常となった紙幣は、直接紙幣入出金口１１のリジェクトスタッカ９に搬送し、利用者に返却する。
【００４２】
入金取引の成立後は、紙幣を一時保管庫１３から搬出し、再び、紙幣鑑別部１２にて紙幣を鑑別した後、再利用不能な真券と鑑別された紙幣、汚損や損傷が激しい真券と鑑別された紙幣、偽券であることが疑われると鑑別された紙幣等は、回収庫１５に収納する。偽券であると鑑別された紙幣は、回収庫１４に収納する。また、再利用可能な真券と鑑別された紙幣は、当該紙幣の金種に対応するリサイクル庫１６〜１８のいずれかに収納する。出金時には、該当するリサイクル庫１６〜１８から出金紙幣を所定の枚数だけ繰り出し、紙幣入出金口１１へ搬送する。
【００４３】
図４は、紙幣取扱装置１００の電気的構成を示すブロック図である。図３に示した紙幣鑑別部１２とセンサ６に加え、搬送モータ３０、紙幣位置操作モータ３１、およびソレノイド３２が制御部２０と接続されており、各ブロックは制御部２０の制御の下に必要な動作を行う。搬送モータ３０は、搬送路１９における搬送ローラを駆動するためのモータであり、紙幣位置操作モータ３１は、後述するように、紙幣を搬送方向に対して横方向に移動させるためのモータである。ソレノイド３２は、ゲート７を切り替えるためのソレノイドや、紙幣入出金口１１を開閉するためのソレノイドなどを含む。
【００４４】
制御部２０は、バス２１０（図２）を介して本体制御装置２０１と接続されており、本体制御装置２０１からの指令および紙幣取扱装置１００の状態検出に応じて、紙幣取扱装置１００の制御を行う。また、制御部２０は、紙幣取扱装置１００の状態を、必要に応じて本体制御装置２０１に送る。
【００４５】
図５は、紙幣収納庫の一つである一時保管庫１３の構造を示す側面図であり、図６は、一時保管庫１３の構造を示す上面図である。
【００４６】
図５および図６において、この一時保管庫１３は、紙幣ＰＭを立位状態で集積する。また、紙幣の取込放出機構は、搬送ローラ５０１と、シートローラ５０２と、押し板５０３と、紙幣シフトローラ５０４と、紙幣位置操作モータ３１と、搬送ベルト５０５とで構成されている。図６において、１３ａ，１３ｂは、一時保管庫１３の側壁である。
【００４７】
搬送ローラ５０１は、入金時は図５中の反時計方向ＲＴに回ることで、図中の紙幣ＰＭを収納方向Ｂに搬送し、一時保管庫１３内に取り込む。
【００４８】
シートローラ５０２は、回転軸周りにシート状の羽根部材５０２ａを備えている。また、シートローラ５０２は、入金時は図５中の時計方向Ｔに回ることで、羽根部材５０２ａを用いて、一時保管庫１３内に入ってきた紙幣ＰＭを、押し板５０３に押し付ける。
【００４９】
押し板５０３は、制御部２０（図４）によって、予め設定された枚数の紙幣ＰＭが押し付けられたことが検出されると、当該制御部２０の制御の下、図示しないモータの駆動に基づいて、収納方向Ｂに後退する。これにより、一時保管庫１３内に紙幣ＰＭが収納されていく。
【００５０】
紙幣位置操作モータ３１は、図６に示すように、一時保管庫１３内の取込口Ｅの近傍に２個設けられており、それぞれのモータ３１の軸に、紙幣シフトローラ５０４が取り付けられている。
【００５１】
紙幣シフトローラ５０４は、例えば、図７に示すようにドラム状に形成されており、外周面に溝５０４ａを有している。そして、この溝５０４ａに紙幣ＰＭの下端が嵌り込んだ状態で、紙幣位置操作モータ３１を所定の方向に回転させると、モータ３１と連動して紙幣シフトローラ５０４が回転し、紙幣ＰＭが図６中の右方向Ｒまたは左方向Ｌの方向に移動する。これにより、紙幣ＰＭの左右方向の位置を操作する。ここで、紙幣位置操作モータ３１および紙幣シフトローラ５０４は、本発明における紙幣移動手段の一実施形態である。
【００５２】
搬送ベルト５０５は、搬送路１９（図３）の一部を構成している。搬送ベルト５０５は、収納方向Ｂまたはその逆方向に移動することで、当該搬送ベルト５０５上にある紙幣ＰＭを搬送する。
【００５３】
尚、一時保管庫１３内に収納した紙幣ＰＭを放出する場合は、搬送ローラ５０１、シートローラ５０２、押し板５０３を上述の方向とは逆の方向に回転または移動させる。
【００５４】
次に、本発明による紙幣取扱装置１００の特徴である紙幣の位置操作について説明する。位置操作とは、特定の種別の紙幣を搬送方向に対して横方向に移動させることをいう。特定の種別の紙幣としては、前述のような、再利用不能な真券と鑑別された紙幣、汚損もしくは損傷が激しい真券と鑑別された紙幣、偽券と鑑別された紙幣、または、偽券であることが疑われると鑑別された紙幣などがある。したがって、紙幣鑑別部１２の鑑別結果に基づいて、紙幣が特定の種別の紙幣であるか否かを決定することができる。
【００５５】
特定の種別の紙幣に対して位置操作を実行するために、ＡＴＭ３００（図２）が備える記憶装置２０７には、一時保管庫１３内に紙幣を収納する際に、紙幣鑑別部１２での鑑別結果に基づいて紙幣位置操作モータ３１を回転させて、紙幣シフトローラ５０４の上に載っている紙幣の位置を操作するためのプログラムが予め記憶されている。
【００５６】
例えば、偽券であることが疑われると鑑別された紙幣を、右方向Ｒに移動させて一時保管庫１３内に収納する場合は、当該紙幣の端を側壁１３ａ（図６）に近接させるために必要な、紙幣位置操作モータ３１の回転方向および回転時間（回転量）などに関するプログラムが、記憶装置２０７に記憶されている。
【００５７】
制御部２０（図４）は、バス２１０（図２）を介して、本体制御装置２０１の記憶装置２０７から上述したプログラムを取得する。
【００５８】
紙幣取扱装置１００（図３）では、入金取引が開始されると、搬送モータ３０（図４）を駆動させて、紙幣入出金口１１内の紙幣の搬送を開始する。そして、紙幣入出金口１１に投入（入金）された紙幣を一枚ずつに分離し、紙幣鑑別部１２で紙幣の金種、真偽、状態等を鑑別する。このとき、制御部２０は、一時保管庫１３へ搬送される紙幣に対して、紙幣鑑別部１２での鑑別結果に基づく紙幣の位置操作の処理を開始する。
【００５９】
具体的には、制御部２０は、一時保管庫１３に向かう紙幣が紙幣鑑別部１２を通過する毎に、当該紙幣の鑑別結果を紙幣鑑別部１２から取得する。そして、鑑別された紙幣が特定の種別の紙幣である場合は、上述したプログラムに従って、紙幣位置操作モータ３１を駆動する。
【００６０】
ここでは、特定の種別の紙幣として、偽券であることが疑われると鑑別された紙幣（以下「疑偽券」という）を例に挙げる。この場合、制御部２０は、一時保管庫１３の取込口Ｅから取り込まれた疑偽券がシートローラ５０２によって押し板５０３に押し付けられるまでの間に、２つの紙幣位置操作モータ３１を、図６における収納方向Ｂに向かって時計回り方向へ、所定時間だけ回転させる。これにより、紙幣シフトローラ５０４も同方向へ所定量回転する。この結果、紙幣シフトローラ５０４の上に載っている疑偽券は、搬送方向（収納方向Ｂ）に対して右方向Ｒへ移動する。
【００６１】
その結果、一時保管庫１３内の紙幣収納状態は、例えば、図８のようになる。図８において、ＰＭ１は疑偽券を表している。このように、一時保管庫１３に収納される紙幣のうち、疑偽券ＰＭ１は右方向Ｒへシフトした状態で収納され、疑偽券ＰＭ１以外の紙幣（真券を含む）ＰＭは、左右いずれの方向へもシフトしない状態で収納される。
【００６２】
以上のようにして一時保管庫１３に収納された紙幣は、次に、搬送路１９を介して、一時保管庫１３から回収庫１４、回収庫１５、リサイクル庫１６〜１８に移し替えられ、各庫に再収納される。この場合、一時保管庫１３内の全ての紙幣は、当該一時保管庫１３内での収容位置がそのまま保持された状態で、搬送路１９を搬送され、各庫内に再収納される。
【００６３】
よって、図８中の疑偽券ＰＭ１は、右方向Ｒへシフトしたままの状態で、回収庫１５に収納される。一方、疑偽券ＰＭ１以外の紙幣ＰＭは、シフトしない状態で、それぞれの鑑別結果に応じて、回収庫１４、回収庫１５、リサイクル庫１６〜１８のいずれかに収納される。すなわち、回収庫１４には偽券が収納され、リサイクル庫１６〜１８には真券が収納される。再利用不能な真券や、汚損もしくは損傷が激しい真券は、回収庫１５に収納される。
【００６４】
このため、回収庫１５に収納された紙幣を回収する際に、係員は、右方向へシフトしている紙幣が疑偽券ＰＭ１であることを瞬時に判別することができる。したがって、回収庫１５内に種別が異なる紙幣が混在していても、疑偽券ＰＭ１のみを容易に抽出することができる。特に、疑偽券の場合は、紙幣を目視しただけでは疑偽券と判断することが困難であるが、本実施形態によれば、疑偽券ＰＭ１を他の紙幣と区別して、迅速かつ確実に抽出することが可能となる。
【００６５】
以上の説明では、特定種別の紙幣として疑偽券を例に挙げたが、再利用不能な真券と鑑別された紙幣や、汚損もしくは損傷が激しい真券と鑑別された紙幣などを特定種別の紙幣としてもよい。また、特定種別の紙幣の移動方向は、右方向Ｒに限らず、左方向Ｌであってもよい。
【００６６】
また、以上の説明では、特定種別の紙幣として１種類の紙幣（疑偽券）を例に挙げたが、特定種別の紙幣として、２種類以上の紙幣を設定してもよい。以下にその例を挙げる。
【００６７】
例えば、疑偽券と、汚損もしくは損傷が激しい真券と鑑別された紙幣（以下「汚損・損傷券」という）の２種類の紙幣を、他の紙幣と区別して仕分ける場合、図９に示すように、一時保管庫１３内において、疑偽券ＰＭ２を右方向Ｒへ移動させ、汚損・損傷券ＰＭ３を左方向Ｌへ移動させる。この場合は、疑偽券ＰＭ２に対する紙幣位置操作モータ３１の回転方向と、汚損・損傷券ＰＭ３に対する紙幣位置操作モータ３１の回転方向とを、逆方向にすればよい。
【００６８】
このようにすることで、疑偽券ＰＭ２は右方向Ｒへシフトしたままの状態で、また、汚損・損傷券ＰＭ３は左方向Ｌへシフトしたままの状態で、それぞれ、回収庫１５に収納される。このため、回収庫１５に収納された紙幣を回収する際に、係員は、右方向へシフトしている紙幣が疑偽券ＰＭ２であり、左方向へシフトしている紙幣が汚損・損傷券ＰＭ３であることを瞬時に判別することができる。したがって、回収庫１５内に種別が異なる紙幣が混在していても、疑偽券ＰＭ２および汚損・損傷券ＰＭ３を容易に抽出することができる。
【００６９】
また、上記のように紙幣のシフト方向によって種別を区分するのではなく、紙幣のシフト位置によって種別を区分してもよい。例えば、図１０に示すように、疑偽券ＰＭ４の右方向Ｒへのシフト量を、汚損・損傷券ＰＭ５の右方向Ｒへのシフト量よりも大きくすることで、疑偽券ＰＭ４は汚損・損傷券ＰＭ５に比べてより側壁１３ａに近接した位置へ移動される。この場合は、疑偽券ＰＭ４に対する紙幣位置操作モータ３１の回転量を、汚損・損傷券ＰＭ５に対する紙幣位置操作モータ３１の回転量より大きくすればよい。
【００７０】
このようにすることで、疑偽券ＰＭ４と汚損・損傷券ＰＭ５は、図１０のような位置関係を保持したまま、回収庫１５に収納される。このため、回収庫１５に収納された紙幣を回収する際に、係員は、右方向へ大きくシフトしている紙幣が疑偽券ＰＭ４であり、右方向へわずかにシフトしている紙幣が汚損・損傷券ＰＭ５であることを瞬時に判別することができる。したがって、回収庫１５内に種別が異なる紙幣が混在していても、疑偽券ＰＭ４および汚損・損傷券ＰＭ５を容易に抽出することができる。
【００７１】
さらに、他の例として、紙幣のシフト方向とシフト位置とを組み合わせると、より多くの種別の紙幣を仕分けることができる。例えば、図１１に示すように、疑偽券ＰＭ６と汚損・損傷券ＰＭ７については、図１０と同様に、右方向Ｒへ移動させて、疑偽券ＰＭ６のシフト量を汚損・損傷券ＰＭ７のシフト量よりも大きくし、再利用不能な真券と鑑別された紙幣（以下「再利用不能真券」という）ＰＭ８については、左方向Ｌへシフトさせるようにすれば、３つの種別の紙幣を仕分けることができる。
【００７２】
また、例えば、図１２に示すように、疑偽券ＰＭ９と汚損・損傷券ＰＭ１０については、図１０と同様に、右方向Ｒへ移動させて、疑偽券ＰＭ９のシフト量を汚損・損傷券ＰＭ１０のシフト量よりも大きくし、偽券ＰＭ１１と再利用不能真券ＰＭ１２については、左方向Ｌへ移動させて、偽券ＰＭ１１のシフト量を再利用不能真券ＰＭ１２のシフト量よりも大きくすれば、４つの種別の紙幣を仕分けることができる。この場合は、偽券ＰＭ１１のみを収納する回収庫１４（図３）が不要となる。
【００７３】
図１３は、一時保管庫１３に紙幣を収納する場合の動作を示すフローチャートである。ステップＳ１では、利用者が表示部２０６ａ（図１）の入力画面を操作することにより、入金取引が開始される。ステップＳ２では、本体制御装置２０１が紙幣取扱装置１００に対して、利用者の入金した紙幣を紙幣入出金口１１から搬送路１９へ供給するよう指示を送り、紙幣入出金口１１から搬送路１９へ紙幣が１枚ずつ繰り出される。
【００７４】
ステップＳ３では、鑑別部１２に備わる各種のセンサにより、紙幣情報の読み取りが行われる。ステップＳ４では、読み取った紙幣情報に基づいて、金種、真偽、汚損・損傷等の状態、記番号などの判別が行われる。ステップＳ５では、判別処理を行った紙幣に対し、搬送状態の異常（スキューや重送など）があるか否かを判定し、ステップＳ６では、紙幣状態の異常（金種判別不能、折れなど）があるか否かを判定する。ステップＳ５、Ｓ６で異常があった場合は、ステップＳ９で当該紙幣をリジェクトスタッカ９へ搬送し、利用者に返却する。ステップＳ５、Ｓ６で異常がない場合は、ステップＳ７へ進む。
【００７５】
ステップＳ７では、ステップＳ４で真と鑑別された紙幣、偽券の疑いがあると鑑別された紙幣（疑偽券）、偽と鑑別された紙幣（偽券）などを、一時保管庫１３に収納する。ステップＳ８では、一時保管庫１３に収納される紙幣のうち、特定種別の紙幣に対して、前述したような紙幣位置操作モータ３１と紙幣シフトローラ５０４とによる位置操作を行い、紙幣の位置をシフトさせる。その後、ステップＳ１０において、紙幣入出金口１１のホッパ８内の紙幣が無くなったかどうかを判定し、紙幣が無くなるまで、ステップＳ２からステップＳ１０までの処理を繰り返す。
【００７６】
以上述べた実施形態においては、紙幣鑑別部１２での鑑別結果に基づいて、紙幣が特定種別の紙幣であるか否かを決定したが、これに代えて、紙幣の搬送パターンに基づいて、紙幣が特定種別の紙幣であるか否かを決定してもよい。
【００７７】
例えば、紙幣入出金口１１内に放置されたままの取り忘れ紙幣を回収する動作が行なわれた場合は、当該取り忘れ紙幣を特定種別の紙幣と決定し、例えば図８のように、右方向Ｒへシフトさせる。これにより、回収庫１５に収納された紙幣を回収する際に、係員は、右方向へシフトしている紙幣が取り忘れ紙幣であることを瞬時に判別することができる。したがって、回収庫１５内に種別が異なる紙幣が混在していても、取り忘れ紙幣のみを容易に抽出することができる。
【００７８】
また、取り忘れ紙幣と、他の特定種別の紙幣とにつき、図９〜図１２で示したような紙幣位置操作を行うことにより、複数の特定種別の紙幣を容易に仕分けることができる。
【００７９】
以上のように、本発明の実施形態である紙幣取扱装置１００では、回収庫１５内に種別が異なる紙幣が混在していても、特定種別の紙幣が、紙幣の搬送方向に対して右方向または左方向にずれて収納されているため、当該回収庫１５内の特定種別の紙幣を容易に仕分けることができる。
【００８０】
また、偽券であることが疑われると鑑別された紙幣（疑偽券）についても、位置操作されて回収庫１５内に収納されるため、目視で判断して仕分けることが困難なこの種の紙幣についても容易に仕分けることができる。
【００８１】
さらに、本実施形態の紙幣取扱装置１００では、一時保管庫１３内の取込口Ｅの近傍に、紙幣位置操作モータ３１を設けているため、一時保管庫１３内に紙幣を一時保管する段階で、あらかじめ紙幣の位置をずらしておくことができる。このため、紙幣を、一時保管庫１３から回収庫１５へ、位置がずらされた状態のまま移送することができる。したがって、回収庫１５へ紙幣を収納する際に、回収庫１５において紙幣の位置操作を行う必要がないので、収納動作を迅速に行うことが可能となる。
【００８２】
本発明では、以上述べた以外にも種々の実施形態を採用することができる。例えば、仕分けすべき特定種別の紙幣が複数種類ある場合に、全ての特定種別の紙幣に対応できる位置操作のプログラムを記憶装置２０７に記憶させておき、ユーザの仕様に応じて、必要なプログラムを任意に選択できるようにしてもよい。
【００８３】
また、上記実施形態においては、回収庫１４に偽券のみを収納したが、回収庫１４に偽券と疑偽券とを収納してもよい。この場合は、偽券と疑偽券の一方につき、収納位置をシフトさせればよい。
【００８４】
また、上記実施形態においては、一時保管庫１３の取込口Ｅの近傍に、紙幣位置操作モータ３１を設けたが、これに限定されず、例えば回収庫１５の取込口近傍に紙幣位置操作モータを設けて、収納する紙幣に対して位置操作を行ってもよい。
【００８５】
また、上記実施形態においては、２個の紙幣位置操作モータ３１を設けたが、これに限定されず、紙幣の位置を操作できる範囲内であれば、いくつ設けても構わない。このため、１個だけ設けてもよいし、３個以上設けてもよい。
【００８６】
さらに、上記実施形態においては、ＡＴＭ３００に内蔵する紙幣取扱装置１００を例に挙げたが、これに限定されず、紙幣取扱装置１００を現金自動支払い機（Cash dispenser）に内蔵してもよい。
【符号の説明】
【００８７】
１１    紙幣入出金口
１２    紙幣鑑別部
１３    一時保管庫
１４    回収庫
１５    回収庫
１６〜１８  リサイクル庫
１９    搬送路
２０    制御部
３１    紙幣位置操作モータ
１００    紙幣取扱装置
２０１    本体制御装置
２０７    記憶装置
３００    現金自動預け払い機
５０４    紙幣シフトローラ
【図１】
2012003519.tif 000003
【図２】
2012003519.tif 000004
【図３】
2012003519.tif 000005
【図４】
2012003519.tif 000006
【図５】
2012003519.tif 000007
【図６】
2012003519.tif 000008
【図７】
2012003519.tif 000009
【図８】
2012003519.tif 000010
【図９】
2012003519.tif 000011
【図１０】
2012003519.tif 000012
【図１１】
2012003519.tif 000013
【図１２】
2012003519.tif 000014
【図１３】
2012003519.tif 000015